(57)【要約】  面発光モジュール（１００）は、開口部（２１Ｌ）を有する封止シート（２１）と、封止シート（２２）と、封止シート（２１，２２）によって封止される面発光素子（１０）と、封止シート（２１，２２）の間に配置される配線部材（３０）とを備える。配線部材（３０）は、封止シート（２１）の開口部（２１Ｌ）から露出可能なように配置される露出部（３３Ｌ）を有する電極（３３）と、露出部（３３Ｌ）に対応する開口（３４Ｌ）を有する保護フィルム（３４）とを含む。封止シート（２１）のうちの開口部（２１Ｌ）を形成している縁部分は、開口（３４Ｌ）よりも外側に位置し且つ保護フィルム（３４）の表面のうち、平坦な形状を有する部分の上に位置している。面発光モジュール（１００）は、配線部材の存在に起因して封止性能が低下することを抑制できる。
2016136577.tif 000002
【特許請求の範囲】
【請求項１】
開口部を有する第１封止シートと、
前記第１封止シートに接合される第２封止シートと、
前記第１封止シートと前記第２封止シートとの間に配置され、これらによって封止される面発光素子と、
前記第１封止シートと前記第２封止シートとの間に配置され、前記面発光素子に電気接続される配線部材と、を備え、
前記配線部材は、
基板と、
前記基板上に形成され、前記第１封止シートの前記開口部から露出可能なように配置される露出部を有する電極と、
前記露出部に対応する開口を有し、前記電極の少なくとも前記露出部の周囲を覆うように設けられた保護フィルムと、を含み、
１つの前記露出部は、１つの前記開口部および１つの前記開口を通して露出可能であり、
前記第１封止シートのうちの前記開口部を形成している縁部分は、前記開口よりも外側に位置し且つ前記保護フィルムの表面のうち、平坦な形状を有する部分の上に位置している、
面発光モジュール。
【請求項２】
開口部を有する第１封止シートと、
前記第１封止シートに接合される第２封止シートと、
前記第１封止シートと前記第２封止シートとの間に配置され、これらによって封止される面発光素子と、
前記第１封止シートと前記第２封止シートとの間に配置され、前記面発光素子に電気接続される配線部材と、を備え、
前記配線部材は、
基板と、
前記基板上に形成され、前記第１封止シートの前記開口部から露出可能なように配置される露出部を有する電極と、を含み、
１つの前記露出部は、１つの前記開口部を通して露出可能であり、
前記第１封止シートのうちの前記開口部を形成している縁部分は、前記電極の表面のうち、平坦な形状を有する部分の上に位置している、
面発光モジュール。
【請求項３】
前記第１封止シート、前記第２封止シート、前記面発光素子および前記配線部材は、可撓性を有している、
請求項１または２に記載の面発光モジュール。
【発明の詳細な説明】
【技術分野】
【０００１】
本発明は、面発光素子を封止するためのシートを備えた面発光モジュールに関する。
【背景技術】
【０００２】
面発光素子は、有機ＥＬなどの薄型の面状光源から構成される。面発光素子を備えた面発光モジュールは、屋内および屋外の双方に配置され、看板、標識、バックライト、照明およびイルミネーションなど、多岐にわたる用途で活用される。面発光素子は、ほこり、紫外線および風雨などから保護する必要がある。一般的に、面発光素子は一対のシートの間に配置され、一対のシートによって挟み込まれるようにして封止される（たとえば下記の特許文献１，２参照）。【０００３】
特許文献１（特開２０１０−２４４６９８号公報）に開示された有機ＥＬ装置においては、一対の封止シートの端部の間に配線部材を配置した状態で（換言すると、一対の封止シートの端部の間に配線部材を介在させた状態で）、一対の封止シートが接着剤を用いて互いに接合される。一対の封止シートの端部には配線部材の存在に起因する段差が形成されており、接着剤は段差の影響を受けて十分な接着性能を発揮できない。特許文献１に開示された発明は、一対の封止シートと有機ＥＬパネルとの間に形成される隙間や、一対の封止シートと配線部材との間に形成される隙間に封止樹脂を充填することで、封止性能の低下を防止している。【０００４】
特開平０１−１１７２９５号公報（特許文献２）に開示された電界発光灯においては、一対のフィルムで面発光素子および電極リード端子を封止するとともに、一方のフィルムの外側から導体（電極ピン）を挿入し、導体の挿入端を電極リード端子に接続している。導体の外側端は、フィルムの外方に突出しており、突出している部分を通して面発光素子は給電される。特許文献２には、電極リード端子を外部に露出させることなく面発光素子の全体および電極リード端子の全体を封止できるため、高い封止性能が得られると記載されている。
【先行技術文献】
【特許文献】
【０００５】
【特許文献１】特開２０１０−２４４６９８号公報
【特許文献２】特開平０１−１１７２９５号公報
【発明の概要】
【発明が解決しようとする課題】
【０００６】
特許文献１（特開２０１０−２４４６９８号公報）に開示された構成を採用する場合、すなわち、一対の封止シートの端部の間に配線部材を介在させた状態で一対の封止シートの端部を接合しようとした場合、配線部材（段差）の存在により一対の封止シートの端部の間には隙間が形成されやすいため、十分な封止性能を得ることは容易ではない。【０００７】
特開平０１−１１７２９５号公報（特許文献２）に開示された構成を採用する場合、導体（電極ピン）の挿入によって封止シートの一部が破れることになる。封止シートは、破れた部分を起点としてさらに破れてしまう可能性があり、信頼性の高い封止性能を長期間にわたって維持し続けることは容易ではない。【０００８】
本発明は、上述のような実情に鑑みてなされたものであって、配線部材の存在に起因して封止性能が低下することを抑制可能な構成を備えた面発光モジュールを提供することを目的とする。
【課題を解決するための手段】
【０００９】
本発明のある局面に基づく面発光モジュールは、開口部を有する第１封止シートと、上記第１封止シートに接合される第２封止シートと、上記第１封止シートと上記第２封止シートとの間に配置され、これらによって封止される面発光素子と、上記第１封止シートと上記第２封止シートとの間に配置され、上記面発光素子に電気接続される配線部材と、を備え、上記配線部材は、基板と、上記基板上に形成され、上記第１封止シートの上記開口部から露出可能なように配置される露出部を有する電極と、上記露出部に対応する開口を有し、上記電極の少なくとも上記露出部の周囲を覆うように設けられた保護フィルムと、を含み、１つの上記露出部は、１つの上記開口部および１つの上記開口を通して露出可能であり、上記第１封止シートのうちの上記開口部を形成している縁部分は、上記開口よりも外側に位置し且つ上記保護フィルムの表面のうち、平坦な形状を有する部分の上に位置している。【００１０】
本発明の他の局面に基づく面発光モジュールは、開口部を有する第１封止シートと、上記第１封止シートに接合される第２封止シートと、上記第１封止シートと上記第２封止シートとの間に配置され、これらによって封止される面発光素子と、上記第１封止シートと上記第２封止シートとの間に配置され、上記面発光素子に電気接続される配線部材と、を備え、上記配線部材は、基板と、上記基板上に形成され、上記第１封止シートの上記開口部から露出可能なように配置される露出部を有する電極と、を含み、１つの上記露出部は、１つの上記開口部を通して露出可能であり、上記第１封止シートのうちの上記開口部を形成している縁部分は、上記電極の表面のうち、平坦な形状を有する部分の上に位置している。
【図面の簡単な説明】
【００１１】
【図１】実施の形態１における面発光モジュールを示す平面図である。
【図２】実施の形態１における面発光モジュールの分解した状態を示す平面図である。
【図３】実施の形態１における面発光モジュールのさらに分解した状態を示す平面図である。
【図４】図３中のＩＶ−ＩＶ線における矢視断面図である。
【図５】実施の形態１における面発光モジュールの作用および効果を説明するための平面図である。
【図６】比較例における面発光モジュールを示す平面図である。
【図７】比較例における面発光モジュールの分解した状態を示す平面図である。
【図８】比較例における面発光モジュールの作用および効果を説明するための平面図である。
【図９】実施の形態２における面発光モジュールを示す平面図である。
【図１０】実施の形態２における面発光モジュールの分解した状態を示す平面図である。
【図１１】実施の形態２における面発光モジュールの作用および効果を説明するための平面図である。
【発明を実施するための形態】
【００１２】
各実施の形態について、以下、図面を参照しながら説明する。同一部品および相当部品には同一の参照番号を付し、重複する説明は繰り返さない場合がある。
【００１３】
［実施の形態１］
（面発光モジュール１００）
図１〜図５を参照して、実施の形態１における面発光モジュール１００について説明する。図１は、面発光モジュール１００を示す平面図であり、図２は、面発光モジュール１００の分解した状態を示す平面図であり、図３は、面発光モジュール１００のさらに分解した状態を示す平面図であり、図４は、図３中のＩＶ−ＩＶ線における矢視断面図である。図５は、面発光モジュール１００の作用および効果を説明するための平面図である。
【００１４】
面発光モジュール１００には、たとえば外部配線４０（図１参照）が接続され、面発光モジュール１００は、照明、装飾およびバックライト等の様々な用途で用いられることができる。外部配線４０は、ＦＰＣなどから構成され、接点部４１，４２と、これらを保持する基板４３とを備えている。詳細は後述するが、接点部４１，４２は、図示しない導電性接着剤（ＡＣＦ）を介して面発光モジュール１００の給電部３２Ｒ，３３Ｌ（露出部）にそれぞれ接続される。
【００１５】
面発光モジュール１００は、面発光素子１０を一対の封止シート２１，２２（図１，図２）によって上下から挟み込んで封止した構成を備える。便宜上のため、図２においては、面発光素子１０を二点鎖線を用いて図示しており、図３には封止シート２１を図示していない。より具体的には、面発光モジュール１００は、面発光素子１０と、面発光素子１０を上下から挟み込む一対の封止シート２１（第１封止シート）および封止シート２２（第２封止シート）と、面発光素子１０に給電するために面発光素子１０に電気接続される配線部材３０とを備える。以下、これらについて順に説明する。
【００１６】
（面発光素子１０）
図１〜図４（主として図３および図４）に示すように、面発光素子１０は、有機ＥＬから構成され、封止シート２１と封止シート２２との間に配置される。面発光素子１０は、封止シート２１が配置される側（図２の紙面の手前側）に表面１０Ｓ（発光面）が位置するように配置される。面発光素子１０の厚さは、たとえば５０μｍ〜２００μｍである。面発光素子１０は、可撓性を有していることが好ましい。本実施の形態の面発光素子１０は、平面視（図３参照）で長方形の形状を有している。
【００１７】
図４に示すように、面発光素子１０は、透明基板１１、バリア層１２、陽極１３、発光層１４、陰極１５、封止部材１６、および絶縁層１７を含んでいる。透明基板１１、バリア層１２、陽極１３、発光層１４、陰極１５、および封止部材１６は、面発光素子１０の表面１０Ｓ（発光面）の側から面発光素子１０の裏面の側に向かって順に積層されている。
【００１８】
透明基板１１は、ガラス、薄膜ガラス、または樹脂フィルムなどから形成される。透明基板１１は、面発光素子１０の表面１０Ｓを形成する部材であり、平面視で長方形の形状を有している。バリア層１２は、透明性を有しており、透明基板１１の表面の全部を覆うように形成される。バリア層１２は、たとえば珪素酸化物や珪素窒化物等の珪素化合物、若しくは金属酸化物や金属窒化物等の金属化合物、またはそれらの混合物から構成される。
【００１９】
陽極１３は、透明性を有する導電膜であり、バリア層１２上にＩＴＯ等が成膜されることで形成される。陽極１３を形成するためのＩＴＯ膜は、給電部１８（陽極用）および給電部１９（陰極用）を形成するために、パターニングによって２つの領域に分割されている。給電部１９を構成しているＩＴＯ膜は、陰極１５に接続される。
【００２０】
発光層１４は、電力を供給されると、電界効果の作用により光を生成する。発光層１４は、単一または積層された複数の層から構成される。陰極１５は、たとえばアルミニウム（Ａｌ）であり、発光層１４を覆うように形成される。絶縁層１７は、陰極１５と陽極１３との間に設けられる。陰極１５のうち、絶縁層１７（図３）が位置している側とは反対側の部分は、給電部１９を構成しているＩＴＯ膜に接続される。
【００２１】
封止部材１６は、ガラス、薄膜ガラス、または樹脂フィルムなどから構成される。封止部材１６は、陽極１３、発光層１４、および陰極１５の略全体を透明基板１１（バリア層１２）上に封止する。バリア層１２上に形成されたＩＴＯ膜の一部は、給電部１８，１９（電気接続が行われる箇所）を形成するために封止部材１６から露出している。給電部１８，１９は、封止部材１６の外側に位置しており、封止部材１６（発光層１４）に対して互いに反対側に位置している。
【００２２】
以上のように構成される面発光素子１０においては、配線部材３０（詳細は後述する）、給電部１８，１９、陽極１３および陰極１５を通して発光層１４へ給電される。発光層１４の中で光が生成され、光は、陽極１３、バリア層１２および透明基板１１を通過して面発光素子１０の表面１０Ｓから取り出される。
【００２３】
（封止シート２１，２２）
図１〜図３を参照して、一対の封止シート２１および封止シート２２は、互いに接合されることによって面発光素子１０をこれらの内側に封止する。封止シート２１，２２としては、たとえばシート形状またはフィルム形状を有する樹脂部材が用いられる。封止シート２１，２２は、可撓性を有していることが好ましい。封止シート２１，２２の厚みは、たとえば２５μｍ〜５０μｍである。
【００２４】
封止シート２１，２２の具体的な材質は、ポリエチレンテレフタレート、ポリプロピレン、アクリル、ポリイミド、ポリサルフォン等である。封止シート２１，２２としては、これらの素材に加えて、バリア性を向上させるために各種の成膜を施したものを用いてもよい。封止シート２１，２２の色は特に制約がないが、封止シート２１，２２のうちの少なくとも封止シート２１は、面発光素子１０の表面１０Ｓから放射された光を通過させるため高い透明性を有している。封止シート２２も、透明性を有していても構わない。
【００２５】
封止シート２１，２２を接合するために、封止シート２１，２２の内側表面には接着剤（図示せず）が設けられる。接着剤としては、たとえば、熱可塑性樹脂、熱硬化性樹脂、および紫外線硬化樹脂等の種々の材料が用いられる。接着剤の厚みは、たとえば２０μｍ〜５０μｍである。
【００２６】
図２に示すように、封止シート２１，２２は、面発光素子１０の面積よりも広い長方形部分を有している。封止シート２２の長方形部分の上には、後述する配線部材３０（基板３１、電極３２，３３および保護フィルム３４）が配置される。面発光素子１０の封止部材１６（図４参照）が配線部材３０の保護フィルム３４に重なるように、面発光素子１０は配線部材３０（保護フィルム３４）の上に載置される。配線部材３０は、電極３２，３３を含んでおり、面発光素子１０の給電部１９，１８に、電極３２，３３（直線部３２ａ，３３ａ）がそれぞれ電気接続される。
【００２７】
図１および図２に示すように、封止シート２１は、一対の開口部２１Ｌ，２１Ｒ（図２）を有する。開口部２１Ｌの位置は、配線部材３０の給電部３３Ｌの位置と、配線部材３０の保護フィルム３４に設けられた開口３４Ｌの位置とに対応している（図１参照）。具体的には、面発光素子１０および配線部材３０を一対の封止シート２１，２２によって上下から挟み込んで封止した際に、面発光素子１０、配線部材３０、封止シート２１，２２が重ね合わされている方向に対して平行な方向から給電部３３Ｌ、開口３４Ｌ、開口部２１Ｌを見た場合（平面視した場合）、給電部３３Ｌは開口３４Ｌの内側に位置し、給電部３３Ｌおよび開口３４Ｌは開口部２１Ｌの内側に位置している。
【００２８】
開口部２１Ｒの位置は、配線部材３０の給電部３２Ｒの位置と、配線部材３０の保護フィルム３４に設けられた開口３４Ｒの位置とに対応している。具体的には、面発光素子１０および配線部材３０を一対の封止シート２１，２２によって上下から挟み込んで封止した際に、面発光素子１０、配線部材３０、封止シート２１，２２が重ね合わされている方向に対して平行な方向から給電部３２Ｒ、開口３４Ｒ、開口部２１Ｒを見た場合（平面視した場合）、給電部３２Ｒは開口３４Ｒの内側に位置し、給電部３２Ｒおよび開口３４Ｒは開口部２１Ｒの内側に位置している。開口部２１Ｌ，２１Ｒのさらなる詳細については後述する。
【００２９】
（配線部材３０）
図３を参照して、配線部材３０は、面発光素子１０に電気接続され、封止シート２１，２２の間に配置される。具体的には、配線部材３０は、基板３１、電極３２，３３および保護フィルム３４を含んでいる。配線部材３０は、全体として可撓性を有していることが好ましい。基板３１および保護フィルム３４（カバーレイ）は、封止シート２１，２２よりも一回り小さい外形形状を有している。保護フィルム３４は、一対の開口３４Ｌ，３４Ｒを有する。保護フィルム３４は、電極３２，３３の給電部３２Ｒ，３３Ｌ（露出部）の少なくとも周囲に位置する部分を覆うように設けられ、電極３２，３３を保護し、電極の封止性能を向上させる役割を果たす。
【００３０】
電極３２，３３は、印刷、蒸着、メッキおよびスパッタなどの成膜技術によって基板３１上に形成される。電極３２，３３の厚みは、たとえば０．１μｍ〜１０μｍである。電極３２，３３の材質は、たとえば銅もしくはニッケル、またはこれらの積層体である。銅もしくはニッケル、またはこれらの積層体に加えて、これらの表面に金がメッキされていてもよい。成膜に限られず、電極３２，３３は、いわゆる銅箔テープなど、金属製の薄箔が導電性接着剤（ＡＣＦ：異方性導電膜など）を用いて基板３１の表面上に貼り付けられたものであってもよい。
【００３１】
（電極３２）
電極３２は、面発光素子１０の給電部１９の位置および形状に対応するように長く延びる直線部３２ａと、給電部３２Ｒ（露出部）を内側に形成する矩形部３２ｂと、直線部３２ａと矩形部３２ｂとを接続する接続部３２ｃとを有する。保護フィルム３４を基板３１および電極３２，３３の上に配置した際、直線部３２ａは保護フィルム３４に覆われない。面発光素子１０の給電部１９は、図示しない導電性接着剤（ＡＣＦ）を介して電極３２の直線部３２ａに電気接続される。面発光素子１０の給電部１９は、導電性接着剤（ＡＣＦ）を用いることなく、電極３２の直線部３２ａに圧接されていてもよい。
【００３２】
給電部３２Ｒは、保護フィルム３４を基板３１および電極３２の上に配置した際に、開口３４Ｒを通して露出可能となる電極３２の一部分である。すなわち、給電部３２Ｒ（露出部）とは、電極３２の上に保護フィルム３４、面発光素子１０および封止シート２１が順に配置された際に開口３４Ｒおよび開口部２１Ｒを通して外部に露出可能なように配置され、外部配線４０（図１）の接点部４１に接続される部分である。なおここで言う「露出可能」とは、給電部３２Ｒが実際に開口３４Ｒおよび開口部２１Ｒを通して露出している状態に限られず、その状態においてさらに給電部３２Ｒが他の封止部材や導電性ペーストなどにより必要に応じて被覆され露出していない状態をも含む概念である。
【００３３】
保護フィルム３４に設けられた開口３４Ｒの位置は、配線部材３０（電極３２）の給電部３２Ｒの位置と、封止シート２１に設けられた開口部２１Ｒの位置とに対応している（図１参照）。開口３４Ｒの大きさは、開口部２１Ｒの大きさよりも小さい（開口面積が小さい）。開口部２１Ｒの大きさは、電極３２の矩形部３２ｂの大きさよりも小さい。したがって、電極３２の上に保護フィルム３４、面発光素子１０および封止シート２１が順に配置された状態では、封止シート２１のうちの開口部２１Ｒを形成している縁部分は、開口３４Ｒの位置よりも外側に位置し、且つ保護フィルム３４の表面のうち、平坦な形状を有する部分の上に位置している（保護フィルム３４を介して矩形部３２ｂの上に位置している）。
【００３４】
矩形部３２ｂ（図３）のうちの給電部３２Ｒの周囲に位置する部分の表面上には、保護フィルム３４（具体的には、保護フィルム３４のうちの開口３４Ｒの周囲部分）が配置される。保護フィルム３４のうちの開口３４Ｒの周囲部分は、接着剤を介して封止シート２１に接合される（図２参照）。保護フィルム３４と封止シート２１との間の接合力が高くなれば、面発光モジュール１００の封止性能を向上させることができる。したがって、矩形部３２ｂのうちの給電部３２Ｒの周囲に位置する部分は、段差がほとんどまたは全く無い、できるだけ平坦な（平坦度のできるだけ高い）表面形状を有していることが好ましい。
【００３５】
（電極３３）
電極３３は、面発光素子１０の給電部１８の位置および形状に対応するように長く延びる直線部３３ａと、給電部３３Ｌ（露出部）を内側に形成する矩形部３３ｂと、直線部３３ａと矩形部３３ｂとを接続する接続部３３ｃとを有する。保護フィルム３４を基板３１および電極３２，３３の上に配置した際、直線部３３ａは保護フィルム３４に覆われない。面発光素子１０の給電部１８は、図示しない導電性接着剤（ＡＣＦ）を介して電極３３の直線部３３ａに電気接続される。面発光素子１０の給電部１８は、導電性接着剤（ＡＣＦ）を用いることなく、電極３３の直線部３３ａに圧接されていてもよい。
【００３６】
給電部３３Ｌは、保護フィルム３４を基板３１および電極３３の上に配置した際に、開口３４Ｌを通して露出可能となる電極３３の一部分である。すなわち、給電部３３Ｌ（露出部）とは、電極３３の上に保護フィルム３４、面発光素子１０および封止シート２１が順に配置された際に開口３４Ｌおよび開口部２１Ｌを通して外部に露出可能なように配置され、外部配線４０（図１）の接点部４２に接続される部分である。なおここで言う「露出可能」とは、給電部３３Ｌが実際に開口３４Ｌおよび開口部２１Ｌを通して露出している状態に限られず、その状態においてさらに給電部３３Ｌが他の封止部材や導電性ペーストなどにより必要に応じて被覆され露出していない状態をも含む概念である。
【００３７】
保護フィルム３４に設けられた開口３４Ｌの位置は、配線部材３０（電極３３）の給電部３３Ｌの位置と、封止シート２１に設けられた開口部２１Ｌの位置とに対応している（図１参照）。開口３４Ｌの大きさは、開口部２１Ｌの大きさよりも小さい（開口面積が小さい）。開口部２１Ｌの大きさは、電極３３の矩形部３３ｂの大きさよりも小さい。したがって、電極３３の上に保護フィルム３４、面発光素子１０および封止シート２１が順に配置された状態では、封止シート２１のうちの開口部２１Ｌを形成している縁部分は、開口３４Ｌの位置よりも外側に位置し、且つ保護フィルム３４の表面のうち、平坦な形状を有する部分の上に位置している（保護フィルム３４を介して矩形部３３ｂの上に位置している）。
【００３８】
矩形部３３ｂ（図３）のうちの給電部３３Ｌの周囲に位置する部分の表面上には、保護フィルム３４（具体的には、保護フィルム３４のうちの開口３４Ｌの周囲部分）が配置される。保護フィルム３４のうちの開口３４Ｌの周囲部分は、接着剤を介して封止シート２１に接合される（図２参照）。保護フィルム３４と封止シート２１との間の接合力が高くなれば、面発光モジュール１００の封止性能を向上させることができる。したがって、矩形部３３ｂのうちの給電部３３Ｌの周囲に位置する部分は、段差がほとんどまたは全く無い、できるだけ平坦な（平坦度のできるだけ高い）表面形状を有していることが好ましい。
【００３９】
本実施の形態においては、配線部材３０の電極３２および電極３３は、面発光素子１０の同じ側に延びており、給電部３２Ｒ，３３Ｌ（矩形部３２ｂ，３３ｂ）は互いに隣り合うように配置されている。
【００４０】
（作用および効果）
図５を参照して、面発光モジュール１００においては、保護フィルム３４に設けられた開口３４Ｌ，３４Ｒおよび封止シート２１（第１封止シート）に設けられた開口部２１Ｌ，２１Ｒを通して、電極３３，３２の給電部３３Ｌ，３２Ｒがそれぞれ露出する。外部配線４０（図１）の接点部４２，４１を、給電部３３Ｌ，３２Ｒにそれぞれ電気接続できる。外部配線４０は、封止シート２１，２２の端部の間には位置していない。
【００４１】
冒頭に述べた特許文献１（特開２０１０−２４４６９８号公報）の場合とは異なり、面発光モジュール１００によれば、外部配線４０の存在に起因して封止シート２１，２２の端部の間に段差が形成されることはなく、外部配線４０の存在が封止性能に影響することはほとんどない。封止シート２１，２２の端部同士を適切に接合でき、封止シート２１，２２による封止性能が得られる。
【００４２】
図５中にハッチング線を用いて示す領域ＲＡは、面発光素子１０の周囲や、基板３１の周囲、あるいは保護フィルム３４の周囲に位置している。この領域ＲＡは、封止シート２１，２２を接合した際に、面発光素子１０の厚み、電極３２、３３の厚み、および保護フィルム３４の厚みなどによって段差が生じ、この段差の存在に起因して空隙が形成される可能性が他よりも高い部分を示している。この領域ＲＡが封止シート２１，２２の外縁ＥＥ（図５）や開口部２１Ｌ，２１Ｒに到達していると、その到達している部分を通して水分などが侵入しやすくなるところ、本実施の形態の面発光モジュール１００においてはそのような構成にはなっていない。
【００４３】
すなわち、封止シート２１が封止シート２２に接合される際、保護フィルム３４のうちの開口３４Ｌ，３４Ｒの周囲部分は、接着剤を介して封止シート２１に接合される（図２参照）。封止シート２１のうちの開口部２１Ｌを形成している縁部分は、開口３４Ｌの位置よりも外側に位置し、且つ保護フィルム３４の表面のうち、平坦な形状を有する部分の上に位置している（保護フィルム３４を介して矩形部３３ｂの上に位置している）。同様に、封止シート２１のうちの開口部２１Ｒを形成している縁部分は、開口３４Ｒの位置よりも外側に位置し、且つ保護フィルム３４の表面のうち、平坦な形状を有する部分の上に位置している（保護フィルム３４を介して矩形部３２ｂの上に位置している）。したがって、平坦な面同士の接合によって領域ＲＡを内側に閉じ込めるような封止構造が実現できているため、従来の封止構造に比べて封止性能の低下を抑制することができると言える。
【００４４】
また、冒頭に述べた特開平０１−１１７２９５号公報（特許文献２）の場合とは異なり、面発光モジュール１００は、導体（電極ピン）を封止シートに挿入（穿刺）するといった構成も採用していない。特許文献２の場合に比べて封止シートが破れてしまう可能性は低く、特許文献２の場合に比べて信頼性の高い封止性能を長期間にわたって維持し続けることが可能である。
【００４５】
［比較例］
（面発光モジュール１０１）
図６〜図８を参照して、比較例における面発光モジュール１０１について説明する。面発光モジュール１０１は、封止シート２１に１つの開口部２１Ｈが設けられているという点において、実施の形態１の面発光モジュール１００と相違している。
【００４６】
封止シート２１のうちの開口部２１Ｈを形成している縁部分は、保護フィルム３４に設けられた開口３４Ｌ，３４Ｒよりも外側に位置している（図６）。しかしながら、封止シート２１のうちの開口部２１Ｈを形成している縁部分は、保護フィルム３４の表面のうち、平坦な形状を有する部分の上には位置していない。電極３２，３３（矩形部３２ｂ，３３ｂ）の存在に起因して、保護フィルム３４には段差３２ｄ，３３ｄ（図６）が形成されている。封止シート２１のうちの開口部２１Ｈを形成している縁部分は、段差３２ｄ，３３ｄを跨ぐように配置されており（段差３２ｄ，３３ｄと交差するように配置されており）、保護フィルム３４の表面のうち、平坦な形状を有する部分の上には位置していない。
【００４７】
図８中にハッチング線を用いて示す領域ＲＢは、面発光素子１０の周囲や、基板３１の周囲、あるいは保護フィルム３４の周囲に位置している。比較例の面発光モジュール１０１においては、領域ＲＢが開口部２１Ｈに到達しており（丸印Ｐ１，Ｐ２で囲まれた部分を参照）、その到達している部分を通して水分などが侵入しやすくなっている。封止シート２１，２２で面発光素子１０を封止する際、平坦な面同士の接合を実現できておらず、十分な封止性能を得ることができていない。
【００４８】
［実施の形態２］
図１０および図１１を参照して、実施の形態２における面発光モジュール１０２について説明する。面発光モジュール１０２は、配線部材３０（実施の形態１）の代わりに配線部材３０Ａを備える。配線部材３０Ａは、保護フィルム３４を備えていないという点で、配線部材３０と相違している。
【００４９】
面発光モジュール１０２における給電部３２Ｒは、封止シート２１を面発光素子１０、基板３１および電極３２の上に配置した際に、開口部２１Ｒを通して露出可能となる電極３２の一部分である。開口部２１Ｒの大きさは、電極３２の矩形部３２ｂの大きさよりも小さい。面発光素子１０を一対の封止シート２１，２２によって上下から挟み込んで封止した際に、面発光素子１０、封止シート２１，２２が重ね合わされている方向に対して平行な方向から開口部２１Ｒ、給電部３２Ｒを見た場合（平面視した場合）、給電部３２Ｒは開口部２１Ｒの内側に位置している。電極３２の上に封止シート２１が配置された状態では、封止シート２１のうちの開口部２１Ｒを形成している縁部分は、電極３２の矩形部３２ｂの表面のうち、平坦な形状を有する部分の上に位置する。電極３２（矩形部３２ｂ）のうちの給電部３２Ｒの周囲部分は、接着剤を介して封止シート２１に接合される。矩形部３２ｂのうちの給電部３２Ｒの周囲に位置する部分は、段差がほとんどまたは全く無い、できるだけ平坦な（平坦度のできるだけ高い）表面形状を有していることが好ましい。
【００５０】
面発光モジュール１０２における給電部３３Ｌは、封止シート２１を面発光素子１０、基板３１および電極３３の上に配置した際に、開口部２１Ｌを通して露出可能となる電極３３の一部分である。開口部２１Ｌの大きさは、電極３３の矩形部３３ｂの大きさよりも小さい。面発光素子１０を一対の封止シート２１，２２によって上下から挟み込んで封止した際に、面発光素子１０、封止シート２１，２２が重ね合わされている方向に対して平行な方向から開口部２１Ｌ、給電部３３Ｌを見た場合（平面視した場合）、給電部３３Ｌは開口部２１Ｌの内側に位置している。電極３３の上に封止シート２１が配置された状態では、封止シート２１のうちの開口部２１Ｌを形成している縁部分は、電極３２の矩形部３３ｂの表面のうち、平坦な形状を有する部分の上に位置する。電極３３（矩形部３３ｂ）のうちの給電部３３Ｌの周囲部分は、接着剤を介して封止シート２１に接合される。矩形部３３ｂのうちの給電部３３Ｌの周囲に位置する部分は、段差がほとんどまたは全く無い、できるだけ平坦な（平坦度のできるだけ高い）表面形状を有していることが好ましい。
【００５１】
（作用および効果）
図１１を参照して、面発光モジュール１０２においては、封止シート２１（第１封止シート）に設けられた開口部２１Ｌ，２１Ｒを通して、電極３３，３２の給電部３３Ｌ，３２Ｒがそれぞれ露出する。外部配線４０（図１）の接点部４２，４１を、給電部３３Ｌ，３２Ｒにそれぞれ電気接続できる。外部配線４０は、封止シート２１，２２の端部の間には位置していない。封止シート２１，２２の端部同士を適切に接合でき、封止シート２１，２２による封止性能が得られる。
【００５２】
図１１中にハッチング線を用いて示す領域ＲＡは、面発光素子１０の周囲や、基板３１の周囲、あるいは保護フィルム３４の周囲に位置している。領域ＲＡは、封止シート２１，２２の外縁ＥＥ（図１１）や開口部２１Ｌ，２１Ｒに到達していない。封止シート２１が封止シート２２に接合される際、平坦な面同士の接合によって領域ＲＡを内側に閉じ込めるような封止構造が実現できているため、従来の封止構造に比べて封止性能の低下を抑制することができると言える。また、面発光モジュール１０２は、導体（電極ピン）を封止シートに挿入（穿刺）するといった構成も採用していない。特許文献２の場合に比べて信頼性の高い封止性能を長期間にわたって維持し続けることが可能である。
【００５３】
以上の説明を概括すると、ある局面に基づく面発光モジュールは、開口部を有する第１封止シートと、上記第１封止シートに接合される第２封止シートと、上記第１封止シートと上記第２封止シートとの間に配置され、これらによって封止される面発光素子と、上記第１封止シートと上記第２封止シートとの間に配置され、上記面発光素子に電気接続される配線部材と、を備え、上記配線部材は、基板と、上記基板上に形成され、上記第１封止シートの上記開口部から露出可能なように配置される露出部を有する電極と、上記露出部に対応する開口を有し、上記電極の少なくとも上記露出部の周囲を覆うように設けられた保護フィルムと、を含み、１つの上記露出部は、１つの上記開口部および１つの上記開口を通して露出可能であり、上記第１封止シートのうちの上記開口部を形成している縁部分は、上記開口よりも外側に位置し且つ上記保護フィルムの表面のうち、平坦な形状を有する部分の上に位置している。
【００５４】
他の局面に基づく面発光モジュールは、開口部を有する第１封止シートと、上記第１封止シートに接合される第２封止シートと、上記第１封止シートと上記第２封止シートとの間に配置され、これらによって封止される面発光素子と、上記第１封止シートと上記第２封止シートとの間に配置され、上記面発光素子に電気接続される配線部材と、を備え、上記配線部材は、基板と、上記基板上に形成され、上記第１封止シートの上記開口部から露出可能なように配置される露出部を有する電極と、を含み、１つの上記露出部は、１つの上記開口部を通して露出可能であり、上記第１封止シートのうちの上記開口部を形成している縁部分は、上記電極の表面のうち、平坦な形状を有する部分の上に位置している。
【００５５】
上記面発光モジュールにおいて好ましくは、上記第１封止シート、上記第２封止シート、上記面発光素子および上記配線部材は、可撓性を有している。
【００５６】
上記の構成によれば、第１封止シートのうちの開口部を形成している部分は、平坦な表面形状を有する部分（換言すると、段差が形成されていない部分）に接合される。平坦な面同士の接合によって封止構造を実現できるため、上記の構成は、従来の封止構造に比べて封止性能の低下を抑制することができる。
【００５７】
以上、各実施の形態について説明したが、上記の開示内容はすべての点で例示であって制限的なものではない。本発明の技術的範囲は請求の範囲によって示され、請求の範囲と均等の意味および範囲内でのすべての変更が含まれることが意図される。
【符号の説明】
【００５８】
１０  面発光素子、１０Ｓ  表面、１１  透明基板、１２  バリア層、１３  陽極、１４  発光層、１５  陰極、１６  封止部材、１７  絶縁層、１８，１９  給電部、２１  封止シート（第１封止シート）、２１Ｈ，２１Ｌ，２１Ｒ  開口部、２２  封止シート（第２封止シート）、３０，３０Ａ  配線部材、３１，４３  基板、３２，３３  電極、３２ａ，３３ａ  直線部、３２ｂ，３３ｂ  矩形部、３２ｃ，３３ｃ  接続部、３２ｄ，３３ｄ  段差、３２Ｒ，３３Ｌ  給電部（露出部）、３４  保護フィルム、３４Ｌ，３４Ｒ  開口、４０  外部配線、４１，４２  接点部、１００，１０１，１０２  面発光モジュール、ＥＥ  外縁、Ｐ１，Ｐ２  丸印、ＲＡ，ＲＢ  領域。
【図１】
2016136577.tif 000003
【図２】
2016136577.tif 000004
【図３】
2016136577.tif 000005
【図４】
2016136577.tif 000006
【図５】
2016136577.tif 000007
【図６】
2016136577.tif 000008
【図７】
2016136577.tif 000009
【図８】
2016136577.tif 000010
【図９】
2016136577.tif 000011
【図１０】
2016136577.tif 000012
【図１１】
2016136577.tif 000013
【国際調査報告】
2016136577.tif 000014
2016136577.tif 000015
2016136577.tif 000016
2016136577.tif 000017